【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
通信回線を介して画像情報を入力し、入力した画像情報を記録媒体に出力する画像出力装置において、
前記画像情報が格納されている格納場所の装置・ファイル名を指定するアドレス情報を入力するためのアドレス情報入力手段と、
前記アドレス情報入力手段を介してアドレス情報が入力された場合、前記アドレス情報によって指定された格納場所の装置・ファイル名に基づいて、前記通信回線を介して該当する装置から該当するファイル名の画像情報を取得する画像情報取得手段と、
前記画像情報取得手段で取得した画像情報に基づいて、記録媒体に画像を形成する画像形成手段と、
を備えたことを特徴とする画像出力装置。
【請求項２】
前記アドレス情報入力手段は、装置本体に配設された操作パネルであることを特徴とする請求項１記載の画像出力装置。
【請求項３】
前記アドレス情報入力手段は、前記通信回線に接続されているホスト装置から前記通信回線を介して前記アドレス情報を入力することを特徴とする請求項１記載の画像出力装置。
【請求項４】
前記アドレス情報入力手段は、無線通信機能を有し、前記無線通信機能を用いた無線通信によって、無線通信機能を有する他の装置から前記アドレス情報を入力することを特徴とする請求項１記載の画像出力装置。
【請求項５】
通信回線を介して、記録媒体に出力したい画像情報をホスト装置から画像出力装置に転送し、画像出力装置側で前記画像情報を記録媒体に出力する画像出力システムにおいて、
前記ホスト装置は、
前記出力したい画像情報が格納されている格納場所の装置・ファイル名を指定するアドレス情報を前記画像出力装置に転送するアドレス情報転送手段を備え、
前記画像出力装置は、
前記通信回線を介して前記アドレス情報転送手段から転送された前記アドレス情報を入力するアドレス情報入力手段と、
前記アドレス情報入力手段を介してアドレス情報が入力された場合、前記アドレス情報によって指定された格納場所の装置・ファイル名に基づいて、前記通信回線を介して該当する装置から該当するファイル名の画像情報を取得する画像情報取得手段と、
前記画像情報取得手段で取得した画像情報に基づいて、記録媒体に画像を形成する画像形成手段と、
を備えたことを特徴とする画像出力システム。
【請求項６】
通信回線を介して、記録媒体に出力したい画像情報をホスト装置から画像出力装置に転送し、画像出力装置側で前記画像情報を記録媒体に出力する画像出力方法において、
前記出力したい画像情報が格納されている格納場所およびファイルを指定するアドレス情報を前記ホスト装置から前記画像出力装置に転送するアドレス情報転送工程と、
前記アドレス情報転送工程で前記ホスト装置から前記画像出力装置に転送されたアドレス情報に基づいて、前記通信回線を介して該当する格納場所およびファイルの画像情報を前記画像出力装置に読み込む画像情報取得工程と、
前記画像情報取得工程で取得した画像情報に基づいて、記録媒体に画像を形成する画像形成工程と、
を備えたことを特徴とする画像出力方法。
【請求項７】
前記請求項６記載の画像出力方法の各工程としてコンピュータを機能させるためのプログラムを記録したことを特徴とするコンピュータ読み取り可能な記録媒体。
【手続補正２】
【補正対象書類名】明細書
【補正対象項目名】００１６
【補正方法】変更
【補正の内容】
【００１６】
【課題を解決するための手段】
上記の目的を達成するために、請求項１に係る画像出力装置は、通信回線を介して画像情報を入力し、入力した画像情報を記録媒体に出力する画像出力装置において、前記画像情報が格納されている格納場所の装置・ファイル名を指定するアドレス情報を入力するためのアドレス情報入力手段と、前記アドレス情報入力手段を介してアドレス情報が入力された場合、前記アドレス情報によって指定された格納場所の装置・ファイル名に基づいて、前記通信回線を介して該当する装置から該当するファイル名の画像情報を取得する画像情報取得手段と、前記画像情報取得手段で取得した画像情報に基づいて、記録媒体に画像を形成する画像形成手段と、を備えたものである。
【手続補正３】
【補正対象書類名】明細書
【補正対象項目名】００１７
【補正方法】変更
【補正の内容】
【００１７】
すなわち、請求項１に係る発明は、アドレス情報入力手段が画像情報の格納されている格納場所の装置・ファイル名を指定するアドレス情報を入力し、アドレス情報入力手段を介してアドレス情報が入力された場合に、画像情報取得手段がアドレス情報によって指定された格納場所の装置・ファイル名に基づいて、通信回線を介して該当する装置から該当するファイル名の画像情報を取得し、画像形成手段が画像情報取得手段で取得した画像情報に基づいて記録媒体に画像を形成する。
【手続補正４】
【補正対象書類名】明細書
【補正対象項目名】００２１
【補正方法】変更
【補正の内容】
【００２１】
請求項５に係る画像出力システムは、通信回線を介して、記録媒体に出力したい画像情報をホスト装置から画像出力装置に転送し、画像出力装置側で前記画像情報を記録媒体に出力する画像出力システムにおいて、前記ホスト装置は、前記出力したい画像情報が格納されている格納場所の装置・ファイル名を指定するアドレス情報を前記画像出力装置に転送するアドレス情報転送手段を備え、前記画像出力装置は、前記通信回線を介して前記アドレス情報転送手段から転送された前記アドレス情報を入力するアドレス情報入力手段と、前記アドレス情報入力手段を介してアドレス情報が入力された場合、前記アドレス情報によって指定された格納場所の装置・ファイル名に基づいて、前記通信回線を介して該当する装置から該当するファイル名の画像情報を取得する画像情報取得手段と、前記画像情報取得手段で取得した画像情報に基づいて、記録媒体に画像を形成する画像形成手段と、を備えたものである。
【手続補正５】
【補正対象書類名】明細書
【補正対象項目名】００２２
【補正方法】変更
【補正の内容】
【００２２】
すなわち、請求項５に係る発明は、ホスト装置がアドレス情報転送手段を備え、アドレス情報転送手段が、出力したい画像情報を格納している格納場所の装置・ファイル名を指定するアドレス情報を画像出力装置に転送し、画像出力装置がアドレス情報入力手段、画像情報取得手段および画像形成手段を備え、アドレス情報入力手段が、通信回線を介してアドレス情報転送手段から転送されたアドレス情報を入力し、画像情報取得手段が、アドレス情報入力手段を介してアドレス情報が入力された場合、アドレス情報によって指定された格納場所の装置・ファイル名に基づいて、通信回線を介して該当する装置から該当するファイル名の画像情報を取得し、画像形成手段が、画像情報取得手段で取得した画像情報に基づいて記録媒体に画像を形成する。
【手続補正６】
【補正対象書類名】明細書
【補正対象項目名】００２３
【補正方法】変更
【補正の内容】
【００２３】
請求項６に係る画像出力方法は、通信回線を介して、記録媒体に出力したい画像情報をホスト装置から画像出力装置に転送し、画像出力装置側で前記画像情報を記録媒体に出力する画像出力方法において、前記出力したい画像情報が格納されている格納場所およびファイルを指定するアドレス情報を前記ホスト装置から前記画像出力装置に転送するアドレス情報転送工程と、前記アドレス情報転送工程で前記ホスト装置から前記画像出力装置に転送されたアドレス情報に基づいて、前記通信回線を介して該当する格納場所およびファイルの画像情報を前記画像出力装置に読み込む画像情報取得工程と、前記画像情報取得工程で取得した画像情報に基づいて、記録媒体に画像を形成する画像形成工程と、を備えたものである。
【手続補正７】
【補正対象書類名】明細書
【補正対象項目名】００２４
【補正方法】変更
【補正の内容】
【００２４】
すなわち、請求項６に係る発明は、アドレス情報転送工程が、出力したい画像情報が格納されている格納場所およびファイルを指定するアドレス情報をホスト装置から画像出力装置に転送し、画像情報取得工程が、アドレス情報転送工程でホスト装置から画像出力装置に転送されたアドレス情報に基づいて、通信回線を介して該当する格納場所およびファイルの画像情報を画像出力装置に読み込み、画像形成工程が、画像情報取得工程で取得した画像情報に基づいて記録媒体に画像を形成する。
【手続補正８】
【補正対象書類名】明細書
【補正対象項目名】００７７
【補正方法】変更
【補正の内容】
【００７７】
実施の形態４のネットワークプリンタ１０１は、一定時間毎にプリントアウトを行うので、例えば、夜中に届いたメールを朝プリントアウトされた状態で入手可能となり、ユーザの時間の有効活用に資することになる。また、実施の形態４の画像出力システムは、ネットワークプリンタ１０１が自立的に画像情報を取得するので、例えば夜間のように、ホスト装置の電源が落ちている場合であっても画像形成動作を行い、システムの負担が少ない。
【手続補正９】
【補正対象書類名】明細書
【補正対象項目名】００７８
【補正方法】変更
【補正の内容】
【００７８】
【発明の効果】
以上説明したように、本発明の画像出力装置（請求項１）は、アドレス情報入力手段が画像情報の格納されている格納場所の装置・ファイル名を指定するアドレス情報を入力し、アドレス情報入力手段を介してアドレス情報が入力された場合に、画像情報取得手段が前記アドレス情報によって指定された格納場所の装置・ファイル名に基づいて、通信回線を介して該当する装置から該当するファイル名の画像情報を取得し、画像形成手段が画像情報取得手段で取得した画像情報に基づいて記録媒体に画像を形成するため、画面表示を行わずにそのままプリントアウトしたい場合に、目的とする情報のプリントアウトまでの時間を短縮でき、かつ、作業を簡略化して利便性の向上を図ることができる。また、画像情報の出力が必要な度にホスト装置側から画像出力装置を制御して画像情報を転送することに起因するシステム全体の負荷を低減することができる。
【手続補正１０】
【補正対象書類名】明細書
【補正対象項目名】００７９
【補正方法】変更
【補正の内容】
【００７９】
また、本発明の画像出力装置（請求項２）は、アドレス情報入力手段が、装置本体に配設された操作パネルであるため、パーソナルコンピュータやキーボード等の特別な入力機器がなくても簡便にアドレス指定その他のプリントアウト操作が可能となり、さらにユーザの利便性の向上を図ることができる。
【手続補正１１】
【補正対象書類名】明細書
【補正対象項目名】００８０
【補正方法】変更
【補正の内容】
【００８０】
また、本発明の画像出力装置（請求項３）は、アドレス情報入力手段が、通信回線に接続されているホスト装置から通信回線を介してアドレス情報を入力するものであるため、ユーザが最寄りのホスト装置を操作してアドレスを指定することにより、ユーザと隔離した場所にあっても画像形成動作（記録媒体への出力）を行うことができる。
【手続補正１２】
【補正対象書類名】明細書
【補正対象項目名】００８２
【補正方法】変更
【補正の内容】
【００８２】
また、本発明の画像出力システム（請求項５）は、ホスト装置がアドレス情報転送手段を備え、アドレス情報転送手段が、出力したい画像情報を格納している格納場所の装置・ファイル名を指定するアドレス情報を画像出力装置に転送し、画像出力装置がアドレス情報入力手段、画像情報取得手段および画像形成手段を備え、アドレス情報入力手段が、通信回線を介してアドレス情報転送手段から転送されたアドレス情報を入力し、画像情報取得手段が、アドレス情報入力手段を介してアドレス情報が入力された場合、アドレス情報によって指定された格納場所の装置・ファイル名に基づいて、通信回線を介して該当する装置から該当するファイル名の画像情報を取得し、画像形成手段が、画像情報取得手段で取得した画像情報に基づいて記録媒体に画像を形成するため、画面表示を行わずにそのままプリントアウトしたい場合に、目的とする情報のプリントアウトまでの時間を短縮でき、かつ、作業を簡略化して利便性の向上を図ることができる。また、画像情報の出力が必要な度にホスト装置側から画像出力装置を制御して画像情報を転送することに起因するシステム全体の負荷を低減することができる。
【手続補正１３】
【補正対象書類名】明細書
【補正対象項目名】００８３
【補正方法】変更
【補正の内容】
【００８３】
また、本発明の画像出力方法（請求項６）は、アドレス情報転送工程が、出力したい画像情報が格納されている格納場所およびファイルを指定するアドレス情報をホスト装置から画像出力装置に転送し、画像情報取得工程が、アドレス情報転送工程でホスト装置から画像出力装置に転送されたアドレス情報に基づいて、通信回線を介して該当する格納場所およびファイルの画像情報を画像出力装置に読み込み、画像形成工程が、画像情報取得工程で取得した画像情報に基づいて記録媒体に画像を形成するため、画面表示を行わずにそのままプリントアウトしたい場合に、目的とする情報のプリントアウトまでの時間を短縮でき、かつ、作業を簡略化して利便性の向上を図ることができる。また、画像情報の出力が必要な度にホスト装置側から画像出力装置を制御して画像情報を転送することに起因するシステム全体の負荷を低減することができる。